(57)【特許請求の範囲】
【請求項１】
基材および前記基材上に形成される受光部を有する太陽電池と、
前記太陽電池の時計表側に配置された透光性の文字板と、
前記文字板を保持する文字板受けリング部材と、
前記太陽電池の裏面に固定された太陽電池案内板と、を備え、
前記文字板受けリング部材は、前記文字板が載置される表面と、前記表面より段差をもって低く形成された、太陽電池及び太陽電池案内板の外周部を支持する太陽電池支持面とを備え、
前記太陽電池支持面は、その表面に開口された開口部と、該開口部内に形成されたフック係止部とを備え、
前記太陽電池案内板は、
前記太陽電池の受光部よりも外周側に突出して形成される突出部を有し、
前記突出部は、前記文字板受けリング部材の前記開口部内に向かって突出して形成されて前記フック係止部に係止されるフック部を備え、
前記基材は、前記太陽電池案内板および前記文字板受けリング部材の前記開口部を被覆する被覆部を備える
ことを特徴とする太陽電池付電子時計。
【請求項２】
請求項１に記載の太陽電池付電子時計において、
前記太陽電池案内板の裏面側に配置されるムーブメントは、前記ムーブメントの平面中心位置から前記ムーブメント外周までの長さが、他の外周面よりも短いサイドカット部を有し、
前記文字板受けリング部材の表面には、前記文字板を固定する文字板固定部が設けられ、
前記フック部は、前記文字板受けリング部材の周方向における配置位置が、前記サイドカット部および前記文字板固定部と異なる位置に設定されている
ことを特徴とする太陽電池付電子時計。
【請求項３】
請求項１または請求項２に記載の太陽電池付電子時計において、
前記文字板受けリング部材の表面には、前記開口部に近接して設けられた太陽電池位置決め部が設けられ、
前記太陽電池の基材の被覆部は、前記太陽電池位置決め部に位置決めされる係合部を備える
ことを特徴とする太陽電池付電子時計。
【請求項４】
請求項３に記載の太陽電池付電子時計において、
前記太陽電池位置決め部は、前記文字板受けリング部材の表面に突出する突起により構成され、
前記太陽電池の前記係合部は、前記突起に係合する係合溝で構成され、
前記太陽電池案内板の突出部は、前記突起に係合する係合溝を備える
ことを特徴とする太陽電池付電子時計。
【請求項５】
請求項１から請求項４のいずれかに記載の太陽電池付電子時計において、
前記文字板受けリング部材の表面側の色は、前記太陽電池の色と同系色である
ことを特徴とする太陽電池付電子時計。
【発明の詳細な説明】
【技術分野】
【０００１】
本発明は、太陽電池付電子時計に関する。
【背景技術】
【０００２】
従来、地板の表側に太陽電池受けリングを配置し、この太陽電池受けリングの表側に、太陽電池および透光性の文字板を配置した太陽電池付時計が知られている（例えば、特許文献１参照）。
この太陽電池付時計では、太陽電池受けリングの表面に、リング外周に沿って約９０度間隔で時計表面側に突出するフック部を形成し、太陽電池受けリングおよびフック部間で前記太陽電池および文字板を挟んで固定していた。すなわち、太陽電池受けリングは、文字板受けリングを兼用していた。
そして、前記フック部は文字板上に露出するため、文字板の外周に沿ってダイヤルリングを配置し、フック部を被覆していた。
【先行技術文献】
【特許文献】
【０００３】
【特許文献１】特開平１０−２３９４５３号公報
【発明の概要】
【発明が解決しようとする課題】
【０００４】
前記太陽電池付電子時計では、文字板の見切り径、つまりダイヤルリングの内径は、前記フック部の位置によって制限される。すなわち、フック部によって見切り径に制約が生じるという問題があった。
このため、時計のモデルバリエーションを広げることができないという問題があった。
【０００５】
本発明の目的は、文字板の見切り径の制約を無くしてモデルバリエーションを広げることができる太陽電池付電子時計を提供することにある。
【課題を解決するための手段】
【０００６】
本発明の太陽電池付電子時計は、基材および前記基材上に形成される受光部を有する太陽電池と、前記太陽電池の時計表側に配置された透光性の文字板と、前記文字板を保持する文字板受けリング部材と、前記太陽電池の裏面に固定された太陽電池案内板と、を備え、前記文字板受けリング部材は、前記文字板受けリング部材の表面に開口された開口部内に形成されたフック係止部を備え、前記太陽電池案内板は、前記太陽電池の受光部よりも外周側に突出して形成される突出部と、前記突出部から前記文字板受けリング部材の前記開口部内に向かって突出して形成されて前記フック係止部に係止されるフック部とを備え、前記太陽電池の基材は、前記太陽電池案内板および前記文字板受けリング部材の前記開口部を被覆する被覆部を備えることを特徴とする。
【０００７】
本発明の太陽電池付電子時計では、太陽電池の裏面に太陽電池案内板を、接着剤などを用いて固定し、この太陽電池案内板の突出部から文字板受けリング部材の前記開口部内に向かって、つまり突出部から時計裏面側に向かって突出するフック部を形成している。そして、このフック部を前記開口部内のフック係止部に係止させることで、太陽電池を文字板受けリング部材に取り付けている。
従って、従来のように、文字板受けリング部材の表面にフック部を形成する必要がなく、太陽電池の表面側に出っ張る部材が無い。このため、従来のように、太陽電池の表面側に露出するフック部をダイヤルリングで被覆する必要が無く、見切り径の制約も無くすことができる。よって、文字板のサイズや見切り径のサイズの自由度が高まり、地球環境に与える負荷がより少ない太陽電池付電子時計を腕時計として構成する場合、見切り径の大きなビッグサイズの腕時計から見切り径の小さな女性用の腕時計まで、モデルバリエーションの自由度を高めることができる。
【０００８】
また、前記文字板受けリング部材のフック部は、太陽電池の受光部よりも外周側に突出する突出部に形成されている。このため、フック部をたとえばピンセットなどで保持し、前記太陽電池および太陽電池案内板を文字板受けリング部材に着脱するための作業を行った場合に、ピンセットなどで太陽電池の受光部を傷つける可能性を低くできる。従って、太陽電池の着脱作業時の作業性も向上できる。
さらに、前記太陽電池の基材に被覆部を設け、この被覆部で前記太陽電池案内板および前記文字板受けリング部材の前記開口部を被覆している。このため、太陽電池案内板や開口部が文字板を介して時計表面側に透けて見えることを防止できる。特に、太陽電池案内板は、ステンレスなどの金属板で構成されて太陽電池とは反射率が大きく異なり、太陽電池で被覆されずに露出すると、太陽電池との見栄えの相違が目立つ。また、開口部も穴であるため、文字板側に露出すると、太陽電池との相違が目立つ。これに対し、本発明では、太陽電池案内板や開口部を、太陽電池の基材の被覆部で被覆しているので、これらの部位が文字板から透けて見えることを防止でき、太陽電池付電子時計の外観を向上できる。
【０００９】
本発明の太陽電池付電子時計では、前記太陽電池案内板の裏面側に配置されるムーブメントは、前記ムーブメントの平面中心位置から前記ムーブメント外周までの長さが、他の外周面よりも短いサイドカット部を有し、前記文字板受けリング部材の表面には、前記文字板を固定する文字板固定部が設けられ、前記フック部は、前記文字板受けリング部材の周方向における配置位置が、前記サイドカット部および前記文字板固定部と異なる位置に設定されていることが好ましい。
【００１０】
本発明によれば、前記文字板受けリング部材のフック部の配置位置を、前記文字板受けリング部材の周方向において前記サイドカット部や文字板固定部と異なる位置としているので、前記フック部をサイドカット部よりも時計外周側にずらして配置したり、文字板固定部をフック部の外周側にずらして配置する必要がない。
このため、ムーブメントや太陽電池、文字板が配置される時計のケース外径の大型化を防ぐことができる。また、前記ムーブメントのサイドカット部を、時計文字板の３時および９時位置側に形成した場合、時計のケースにおける３時−９時方向の幅つまり時計の横幅の大型化を防止できる。
【００１１】
本発明の太陽電池付電子時計では、前記文字板受けリング部材の表面には、前記開口部に近接して設けられた太陽電池位置決め部が設けられ、前記太陽電池の基材の被覆部は、前記太陽電池位置決め部に位置決めされる係合部を備えることが好ましい。
【００１２】
本発明によれば、文字板受けリング部材の表面において、前記開口部および太陽電池位置決め部が近接して設けられている。このため、太陽電池案内板の突出部に形成されるフック部と、太陽電池の基材の被覆部に形成される係合部とを近接して設けることができる。従って、太陽電池の受光部の外周から突出して設けられる前記フック部および係合部を近くに配置できるので、基材の被覆部の面積を最小限に抑制できる。従って、太陽電池の面積を最小化でき、太陽電池のコストを低減できる。
【００１３】
本発明の太陽電池付電子時計では、前記太陽電池位置決め部は、前記文字板受けリング部材の表面に突出する突起により構成され、前記太陽電池の前記係合部は、前記突起に係合する係合溝で構成され、前記太陽電池案内板の突出部は、前記突起に係合する係合溝を備えることが好ましい。
【００１４】
太陽電池位置決め部を突起（ダボ）で構成し、この突起に係合する係合溝（係合部）を太陽電池の基材だけでなく、太陽電池案内板の突出部にも形成している。このため、太陽電池の基材を合成樹脂製のフィルムで構成した場合でも、ステンレスなどの金属材で構成できる太陽電池案内板が積層されて前記係合溝を構成するため、前記係合溝の強度を高めることができる。従って、太陽電池案内板が固定された太陽電池を、文字板受けリング部材の突起（太陽電池位置決め部）に強固に取り付けることができる。
【００１５】
本発明の太陽電池付電子時計では、前記文字板受けリング部材の表面側の色は、前記太陽電池の色と同系色であることが好ましい。
本発明によれば、文字板受けリング部材の表面側の色を、太陽電池の色と同系色にしたので、太陽電池および文字板受けリング部材の色調を合わせることができる。このため、文字板受けリング部材に対する色調の差によって、太陽電池の外形が文字板から透けて見えることを防止でき、時計の文字板を見た際の意匠を向上できる。
【図面の簡単な説明】
【００１６】
【図１】本発明の第１実施形態に係る太陽電池付電子時計の分解斜視図。
【図２】前記太陽電池付電子時計の文字板受けリング部材、太陽電池および文字板を示す縦断面図。
【図３】前記文字板受けリング部材および太陽電池を示す平面図。
【図４】前記太陽電池を示す平面図。
【図５】前記文字板受けリング部材および太陽電池を示す分解斜視図。
【図６】前記文字板受けリング部材および太陽電池の係合構造を示す斜視図。
【図７】本発明の変形例に係る文字板受けリング部材および太陽電池を示す分解斜視図。
【図８】本発明の変形例に係る太陽電池を示す平面図。
【図９】本発明の他の変形例に係る文字板受けリング部材および太陽電池を示す平面図。
【発明を実施するための形態】
【００１７】
本発明の第１実施形態を図面に基づいて説明する。
〔太陽電池付時計の概略構成〕
図１は、第１実施形態に係る太陽電池付電子時計１の時計本体１０の分解斜視図である。
太陽電池付電子時計１は、時計本体１０と、時計本体１０を収容する図示略の外装ケースとで概略構成され、利用者が腕に装着して使用する腕時計タイプとされている。
【００１８】
〔時計本体の構成〕
時計本体１０は、図１に示すように、ムーブメント２と、文字板受けリング部材３と、太陽電池４と、太陽電池４の表側に配置される透光性の文字板５とを備える。なお、ムーブメント２は、地板、回路基板、ステッピングモーター、駆動輪列等が組み込まれた一般的な構成を採用しているため、説明を省略する。また、外装ケースも一般的な構成であるため、説明を省略する。
さらに、本実施形態のムーブメント２は、図２にも示すように、日車２１と、この日車２１が上方に外れないように保持する日車押さえ２２を備えている。
【００１９】
〔文字板受けリング部材の構成〕
文字板受けリング部材３は、非透光性の材料（たとえば合成樹脂）により円環状に形成され、後述する太陽電池４と同系色に着色されている。そして、図１及び図２に示すように、文字板受けリング部材３の表面側には、文字板受けリング部材３の内周面に沿って形成され、文字板受けリング部材３の上面３０よりも一段低く形成された太陽電池支持面３１が形成されている。
また、文字板受けリング部材３は、その平面中心を挟んで対向する二箇所に、支持フック部３２が形成されている。この支持フック部３２が、ムーブメント２の裏面側に係合し、文字板受けリング部材３はムーブメント２を保持する。
【００２０】
文字板受けリング部材３の上面３０には、図１，３に示すように、文字板受けリング部材３の中心を挟んで、互いに対向配置された２つの第１文字板固定部３３、及び互いに対向配置された２つの第２文字板固定部３４とが設けられている。
第１文字板固定部３３は、前記上面３０から文字板５側に突出して形成された略角柱状の係合突起によって構成されている。
第２文字板固定部３４は、前記上面３０から文字板５側に突出して形成された円柱状の係合突起によって構成されている。
【００２１】
文字板受けリング部材３の太陽電池支持面３１には、図１，３に示すように、文字板受けリング部材３の中心を挟んで、互いに対向配置された２つの太陽電池位置決め部３５が設けられている。
太陽電池位置決め部３５は、太陽電池支持面３１から文字板５側に突出して係止された円柱状の突起によって構成されている。
【００２２】
〔フック係止部の構成〕
前記文字板受けリング部材３には、文字板受けリング部材３の中心を挟んで互いに対向する位置に形成されて、前記太陽電池支持面３１に開口する２つの開口部３７を備えている。
開口部３７は、文字板受けリング部材３の外周側にも開口する凹溝で構成されている。そして、開口部３７の周方向に沿った外周面には、フック係止部３９が形成されている。
【００２３】
フック係止部３９は、上面が傾斜面とされた突起部で構成されている。フック係止部３９の傾斜面３９１は、太陽電池支持面３１から連続し、文字板受けリング部材３の外周側に向かうにしたがって、下方（裏蓋側）に傾斜する傾斜面とされている。
なお、フック係止部３９は、開口部３７の一方の側面から所定寸法（具体的には後述する突出部４９１を配置可能な寸法）だけ離れて形成されている。
【００２４】
〔太陽電池の構成〕
太陽電池４は、図１、４に示すように、平面視略円形状の基材４１と、基材４１の表面側に形成された太陽電池の受光部４２とを備えている。
基材４１は、合成樹脂製のフィルムなどの絶縁材で構成されている。受光部４２は、前記基材４１の表面上に、金属電極層、半導体層、絶縁層、配線電極層、透光性の封止樹脂層などを積層することによって構成されている。この受光部４２は、３つの領域に分割されて形成されている。すなわち、太陽電池４の表面には扇形状の３つの受光部４２が形成されている。そして、本実施形態では、３つの受光部４２の出力を直列接続することで発電電圧を向上させている。
基材４１は、受光部４２の外側に突出する被覆部４３を有する。被覆部４３は、太陽電池４の中心軸（指針の回転軸が挿通される貫通穴部分）を挟んで対向する二箇所に形成され、受光部４２の外周側に突出して形成されている。
被覆部４３の外周縁には、太陽電池位置決め部３５に係合する係合溝４４が形成されている。
【００２５】
太陽電池４は、文字板５を透過した太陽光が受光部４２に当たることで発電を行い、受光部４２で発電された電力は、コイルばね等からなる導通部材７を介してムーブメント２に設けられた二次電池に充電され、この二次電池の出力で回路基板等が駆動される。
【００２６】
〔太陽電池案内板の構成〕
太陽電池４の裏面には、図５にも示すように、太陽電池案内板４５が接着（固定）されている。太陽電池案内板４５は、ステンレス板で構成され、略円板状に形成されている。太陽電池案内板４５は、２つの突出部４６を備えている。
突出部４６は、太陽電池案内板４５において、指針の回転軸が挿通される貫通穴４５１部分を挟んで対向する二箇所に形成されている。そして、突出部４６は、前記太陽電池位置決め部３５に係合する係合溝４７と、前記フック係止部３９に係合するフック部４９とを備えている。
【００２７】
フック部４９は、図６にも示すように、太陽電池案内板４５から折曲されたＬ字状の板部で構成されている。すなわち、フック部４９は、太陽電池案内板４５からムーブメント２側に突出する突出部４９１と、突出部４９１の先端から側方に延出された係止部４９２とを備える。
【００２８】
そして、太陽電池案内板４５の係合溝４７や、フック部４９が形成された突出部４６は、図４，５に示すように、太陽電池４の基材４１の被覆部４３で被覆されており、文字板５側から視認できないように構成されている。
【００２９】
〔文字板の構成〕
文字板５は、透光性の材料により、図１、２に示すように、太陽電池４の受光部４２全体を覆う大きさに形成されている。なお、文字板５は、少なくとも受光部４２全体を覆う大きさであればよく、前記文字板受けリング部材３よりも大きく形成してもよい。
この文字板５は、外周端縁から径方向に延出する４つの延出部５１と、各延出部５１に平面視コ字状に切り欠き形成される２つの第１係合部５２、及び平面視半円形状に切り欠き形成される２つの第２係合部５３とを備える。
文字板５は、少なくとも延出部５１が、文字板受けリング部材３の上面３０に載置されることで、文字板受けリング部材３に支持される。
第１係合部５２は第１文字板固定部３３に嵌合され、第２係合部５３は第２文字板固定部３４に嵌合する。これにより、文字板５は、文字板受けリング部材３に対して周方向に位置決め固定される。
【００３０】
なお、ムーブメント２は、図１に示すように、文字板５における３時の目盛位置側と、９時の目盛位置側がサイドカット部２Ａ、２Ｂとされている。
そして、文字板受けリング部材３の円周方向における開口部３７の形成位置つまり前記太陽電池案内板４５のフック部４９の形成位置は、前記サイドカット部２Ａ、２Ｂの形成位置および第１文字板固定部３３、第２文字板固定部３４の形成位置のいずれとも異なる位置に設定されている。
さらに、太陽電池案内板４５のフック部４９は、太陽電池位置決め部３５に係合する係合溝４４に近接して形成されている。このため、文字板受けリング部材３の開口部３７は、太陽電池位置決め部３５に近接して形成されている。従って、文字板受けリング部材３の外周方向（円周方向）において、前記係合溝４４、太陽電池位置決め部３５と、フック部４９、開口部３７間に、前記サイドカット部２Ａ、２Ｂや各文字板固定部３３、３４が配置されることがないように設計されている。
【００３１】
〔時計本体の組み立て〕
次に、図１を参照して、時計本体１０の組み立て方法について説明する。
まず、文字板受けリング部材３でムーブメント２を保持する。この際、ムーブメント２の上方から文字板受けリング部材３をはめ込むとともに、文字板受けリング部材３の支持フック部３２をムーブメント２の底面に引っ掛けるようにして支持する。
【００３２】
次に、太陽電池４を文字板受けリング部材３に保持させる。すなわち、太陽電池４の裏面に接着された太陽電池案内板４５のフック部４９を、文字板受けリング部材３のフック係止部３９に係合させる。
具体的には、フック部４９の係止部４９２を開口部３７に配置して、フック係止部３９の傾斜面３９１に当接させ、そのまま太陽電池４を文字板受けリング部材３側に押し込む。
すると、フック部４９の係止部４９２は、傾斜面３９１に案内されて外側に広がり、突出部４９１も弾性変形して外側に湾曲する。
そして、係止部４９２が傾斜面３９１の下端を超えると、弾性変形によって外側に湾曲されていた突出部４９１も元の位置に戻る。このため、係止部４９２は、フック係止部３９の下面側に移動して係止される。
この際、被覆部４３の係合溝４４および太陽電池案内板４５の係合溝４７を太陽電池位置決め部３５に係合させ、太陽電池４の文字板受けリング部材３の周方向に対する位置決めも行う。
以上により、太陽電池４は、係合溝４４，４７が太陽電池位置決め部３５に係合することで、文字板受けリング部材３の周方向に対して位置決めされる。また、太陽電池４の太陽電池案内板４５が太陽電池支持面３１上に載置されることで時計の厚さ方向に対して位置決めされる。さらに、フック部４９がフック係止部３９に係止されることで、太陽電池４が文字板受けリング部材３に保持される。
【００３３】
次に、文字板５を太陽電池４の表面側から文字板受けリング部材３に保持させる。すなわち、第１係合部５２を文字板受けリング部材３の第１文字板固定部３３に嵌合させ、第２係合部５３を第２文字板固定部３４に嵌合する。これにより、文字板５は、文字板受けリング部材３の上面３０上に載置されて厚み方向に対して位置決めされる。さらに、文字板５は、各係合部５２、５３が、各文字板固定部３３、３４に嵌合することで、文字板受けリング部材３の周方向に対して位置決めされる。
以上により、時計本体１０が組み立てられる。
【００３４】
上述した本実施形態に係る太陽電池付電子時計１によれば、以下の効果を奏する。
（１）太陽電池４の裏面に接着した太陽電池案内板４５の突出部４６に、時計裏面側に向かって突出するフック部４９を形成し、このフック部４９を、文字板受けリング部材３の開口部３７内に形成されたフック係止部３９に係止させて、太陽電池４を文字板受けリング部材３に取り付けている。
このため、従来のように、文字板受けリング部材３の表面にフック部を形成する必要がなく、太陽電池４の表面側に出っ張る部材を無くすことができる。このため、従来のように、太陽電池４の表面側に露出するフック部をダイヤルリングで被覆する必要が無く、見切り径の制約も無くすことができる。
従って、文字板５のサイズや見切り径のサイズの自由度を向上できる。たとえば、前記実施形態に比べて、文字板受けリング部材３の直径を大きくし、各文字板固定部３３、３４の位置を外周側に移動すれば、太陽電池４やムーブメント２を変更することなく、直径の大きな文字板５を取り付けて見切り径の大きなビッグサイズの腕時計を構成できる。
【００３５】
（２）太陽電池４および文字板５を、間隔をあけることなく積層して配置できるので、たとえば、太陽電池４および文字板５間に太陽電池押さえを設けて固定する構造を採用する場合に比べて、太陽電池付電子時計１を薄型化でき、日車２１の奥目感も緩和できる。
【００３６】
（３）文字板受けリング部材３のフック部４９を、太陽電池４の受光部４２よりも外周側に突出する突出部４６に形成している。このため、フック部４９をたとえばピンセットなどで保持し、太陽電池４および太陽電池案内板４５を文字板受けリング部材３に着脱するための作業を行った場合に、ピンセットなどで太陽電池４の受光部４２を傷つける可能性を低くできる。従って、太陽電池４の着脱作業時の作業性も向上できる。
【００３７】
（４）太陽電池４の基材４１に被覆部４３を設け、被覆部４３で前記太陽電池案内板４５および文字板受けリング部材３の開口部３７を被覆しているので、太陽電池案内板４５や開口部３７が文字板５を介して時計表面側に透けて見えることを防止できる。
特に、ステンレス製の太陽電池案内板４５は、太陽電池４とは反射率が大きく異なり、太陽電池４で被覆されずに露出すると、外観上、太陽電池４との見栄えの相違が目立ってしまう。また、穴である開口部３７も、文字板５側に露出すると太陽電池４との相違が目立ってしまう。
一方、本実施形態では、太陽電池案内板４５や開口部３７を、太陽電池４の基材４１の被覆部４３で被覆しているので、これらの部位が文字板５から透けて見えることを防止でき、太陽電池付電子時計１の外観を向上できる。
【００３８】
（５）太陽電池４の被覆部４３に係合溝４４を形成し、文字板受けリング部材３に太陽電池位置決め部３５を形成しているので、文字板受けリング部材３に対する太陽電池４の位置も正確に設定できる。
【００３９】
（６）太陽電池４の裏面に接着した太陽電池案内板４５は、ステンレス等の金属製であるため、太陽電池４を文字板受けリング部材３に取り付ける機能だけでなく、太陽電池４自体の強度を高めるためにも機能する。従って、太陽電池４の基材４１として合成樹脂製のフィルムなどを用いることもでき、太陽電池４の薄型化や低コスト化を実現できる。
【００４０】
（７）文字板受けリング部材３のフック部４９の形成位置を、ムーブメント２に形成されたサイドカット部２Ａ、２Ｂや文字板固定部３３、３４と異なる位置としているので、前記フック部４９をサイドカット部２Ａ、２Ｂよりも時計外周側にずらして配置したり、文字板固定部３３、３４をフック部４９の外周側にずらして配置する必要がない。
このため、ムーブメント２や太陽電池４、文字板５が配置される時計ケースの大型化を防ぐことができる。また、前記ムーブメント２のサイドカット部２Ａ、２Ｂを、時計文字板の３時および９時位置側に形成しているので、時計ケースにおける３時−９時方向の幅つまり時計の横幅の大型化を防止できる。
【００４１】
（８）文字板受けリング部材３の表面において、前記開口部３７および太陽電池位置決め部３５が近接して設けられている。このため、太陽電池案内板４５の突出部４６に形成されるフック部４９と、太陽電池４の基材４１の被覆部４３に形成される係合溝４４とを近接して設けることができる。このため、太陽電池４の受光部４２の外周から突出して設けられる前記フック部４９および係合溝４４を近い位置に形成できるので、これらを被覆する基材４１の被覆部４３の面積を最小限に抑制できる。従って、太陽電池４の面積を最小化でき、太陽電池４のコストを低減できる。
【００４２】
（９）文字板受けリング部材３の表面側の色を、太陽電池４の色と同系色にしたので、太陽電池４および文字板受けリング部材３の色調を合わせることができる。このため、文字板受けリング部材３に対する色調の差によって、太陽電池４の外形が文字板５から透けて見えることを防止でき、時計の文字板５を見た際の外観を向上できる。
【００４３】
〔実施形態の変形〕
なお、本発明は前述の実施形態に限定されるものではなく、本発明の目的を達成できる範囲での変形、改良等は本発明に含まれるものである。
たとえば、図７，８に示すフック係止部３８およびフック部４８で太陽電池４を文字板受けリング部材３Ａに取り付けてもよい。
すなわち、図７に示す文字板受けリング部材３Ａは、前記太陽電池支持面３１に開口する２つの開口部３６を備えている。開口部３６は、文字板受けリング部材３Ａの内周側にも開口する凹溝で構成されている。そして、開口部３６の周方向に沿った内周面には、フック係止部３８が形成されている。
フック係止部３８は、上面が傾斜面３８１とされた突起部で構成されている。フック係止部３８の傾斜面３８１は、太陽電池支持面３１から連続し、文字板受けリング部材３Ａの内周側（中心側）に向かうにしたがって、下方（裏蓋側）に傾斜する傾斜面とされている。
【００４４】
一方、太陽電池案内板４５Ａの突出部４６は、図７，８に示すように、フック係止部３８に係合するフック部４８を備えている。フック部４８は、フック部４９と同様に、太陽電池案内板４５Ａから折曲されたＬ字状の板部で構成されている。また、フック部４８は、フック部４９と同様に、太陽電池４の基材４１の被覆部４３で被覆され、文字板５側から視認できないように構成されている。
【００４５】
太陽電池案内板４５Ａが接着された太陽電池４を文字板受けリング部材３Ａに取り付けるには、フック部４８をフック係止部３８の傾斜面３８１に当接させ、そのまま太陽電池４を文字板受けリング部材３Ａ側に押し込む。すると、フック部４８は、傾斜面３８１に案内されて太陽電池案内板４５Ａの内側に湾曲する。そして、フック部４８が傾斜面３８１の下端を超えると、フック部４８は元の位置に戻る。このため、フック部４８は、フック係止部３８に係止される。
このようなフック係止部３８およびフック部４８を、文字板受けリング部材３Ａおよび太陽電池案内板４５Ａに形成した場合も、前記実施形態と同様の作用効果を奏することができる。
【００４６】
また、前記実施形態では、円環状の文字板受けリング部材３を用いていたが、図９に示すように、平面矩形枠状の文字板受けリング部材３Ｂを用いてもよい。このような文字板受けリング部材３Ｂを用いれば、文字板や時計ケースが角型のモデルを構成できる。なお、文字板受けリング部材３Ｂには、文字板受けリング部材３Ａと同様のフック係止部３８が形成されている。このため、太陽電池４には、フック部４８を有する太陽電池案内板４５Ａが接着されている。
この場合も、文字板受けリング部材３Ｂや太陽電池案内板４５Ａ以外の部品は前記第１実施形態の太陽電池付電子時計１と同様のものを利用できるので、コストを低減でき、前記第１実施形態と同様に、見切り径の制約が無いため、時計のモデルバリエーションを広げることができる。
また、ムーブメント２の３時および９時位置がサイドカット部２Ａ、２Ｂとされているので、角型の腕時計を構成する場合に、時計ケースの幅寸法を抑制でき、この点でもモデルバリエーションを広げることができる。
【００４７】
前記実施形態では、文字板受けリング部材３でムーブメント２を保持し、その後に太陽電池４を文字板受けリング部材３に保持させたが、太陽電池４を先に文字板受けリング部材３に組み込み、これをムーブメント２にセットする組み立て順であってもよい。
また、本発明に用いることができるムーブメント２は、サイドカット部２Ａ、２Ｂを有するものに限定されない。
さらに、各フック部４８，４９および係合溝４４，４７、すなわち開口部３６，３７および太陽電池位置決め部３５は近接して配置されていなくてもよい。
また、前記実施形態では、太陽電池案内板４５に係合溝４７を形成していたが、係合溝４７を設けずに、フック部４８やフック部４９のみを設けてもよい。さらに、前記実施形態では、太陽電池案内板４５の中心を挟んで対向する２箇所にフック部４９を設けていたが、文字板受けリング部材３の周方向にそって３箇所以上にフック部４９やフック部４８を設けてもよい。
【００４８】
前記実施形態では、文字板受けリング部材３の色が太陽電池４の色と同系色であったが、これらが異なる色であってもよい。特に、ダイヤルリング等の見切り材によって文字板受けリング部材３の露出面が被覆される場合には、文字板受けリング部材３の色を太陽電池４に合わせる必要は無い。
前記実施形態では、本発明に係る時計として、腕時計タイプの時計を例示して説明したが、これに限らず、壁掛け時計等、他のタイプの時計であってもよい。
【符号の説明】
【００４９】
１…太陽電池付電子時計、２…ムーブメント、２Ａ，２Ｂ…サイドカット部、３，３Ａ，３Ｂ…文字板受けリング部材、４…太陽電池、５…文字板、１０…時計本体、３０…上面、３１…太陽電池支持面、３２…支持フック部、３３…第１文字板固定部、３４…第２文字板固定部、３５…太陽電池位置決め部、３６，３６Ａ，３６Ｂ…第１開口部、３７…第２開口部、３８…第１フック係止部、３９…第２フック係止部、４１…基材、４２…受光部、４３…被覆部、４４…係合溝、４５，４５Ａ…太陽電池案内板、４６…突出部、４７…係合溝、４８…第１フック部、４９…第２フック部、５１…延出部、５２…第１係合部、５３…第２係合部、３８１，３９１…傾斜面、４８１，４９１…突出部、４８２，４９２…係止部。
【図１】
0005910024.tif 000002
【図２】
0005910024.tif 000003
【図３】
0005910024.tif 000004
【図４】
0005910024.tif 000005
【図５】
0005910024.tif 000006
【図６】
0005910024.tif 000007
【図７】
0005910024.tif 000008
【図８】
0005910024.tif 000009
【図９】
0005910024.tif 000010